【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
ソースプロファイルに対応するデバイスとデスティネーションプロファイルに対応するデバイスが所定の組み合わせに設定され、かつ、所定の色のマッチング方法が設定された場合、前記ソースプロファイルに格納された第一の測色値および前記デスティネーションプロファイルに格納された第二の測色値のうち、前記第一の測色値を変換して、前記第一の測色値と測定方法が異なる第三の測色値を生成する生成手段と、
前記第一および第二の測色値を用いて、あるいは、前記第二および第三の測色値を用いて、画像データを色処理する色処理手段とを有することを特徴とする色処理装置。
【請求項２】
ソースプロファイルに対応するデバイスとデスティネーションプロファイルに対応するデバイスが所定の組み合わせに設定され、かつ、所定の色のマッチング方法が設定された場合、前記ソースプロファイルに格納された第一の測色値および前記デスティネーションプロファイルに格納された第二の測色値のうち、前記第二の測色値を変換して、前記第二の測色値と測定方法が異なる第三の測色値を生成する生成手段と、
前記第一および第二の測色値を用いて、あるいは、前記第一および第三の測色値を用いて、画像データを色処理する色処理手段とを有することを特徴とする色処理装置。
【請求項３】
前記所定の組み合わせは発光型のデバイスと非発光型のデバイスの組み合わせであり、前記所定の色のマッチング方法は測色的なマッチング方法であることを特徴とする請求項1または請求項2に記載された色処理装置。
【請求項４】
前記生成手段は、前記非発光型のデバイスのプロファイルに格納された測色値を変換して前記第三の測色値を生成することを特徴とする請求項3に記載された色処理装置。
【請求項５】
前記生成手段は、前記変換する測色値が格納されたプロファイルから変換情報を取得する取得手段、および、前記変換情報を使用して前記測色値を変換する変換手段を有することを特徴とする請求項1から請求項4の何れか一項に記載された色処理装置。
【請求項６】
前記変換情報は、接触型の測色器の測色値と非接触型の測色器の測色値の対応関係を示すことを特徴とする請求項5に記載された色処理装置。
【請求項７】
画像の色を変換する色処理装置であって
入力デバイスのプロファイル、出力デバイスのプロファイル、色のマッチング方法の選択情報を入力する入力手段と、
前記入力デバイスのプロファイルと前記出力デバイスのプロファイルの組み合わせ、および、前記色のマッチング方法に基づき、前記プロファイル内の測色値を補正するか否かを判定する判定手段と、
前記補正が必要と判定される場合、前記プロファイルのうち物体色デバイスのプロファイル内の測色値を、当該測色値と測定方法が異なる測色値に変換する変換手段と、
前記入力デバイスのプロファイルの測色値および前記出力デバイスのプロファイルの測色値を用いて、あるいは、前記プロファイルのうち前記物体色デバイスではないデバイスのプロファイルの測色値および前記変換手段によって得た測色値を用いて、前記色の変換を行う色変換手段とを有することを特徴とする色処理装置。
【請求項８】
前記判定手段は、前記プロファイルの組み合わせが光源色デバイスと前記物体色デバイスの組み合わせを表し、前記色のマッチング方法が測色的なマッチング方法である場合に前記補正が必要と判定することを特徴とする請求項7に記載された色処理装置。
【請求項９】
前記変換手段は、前記物体色デバイスのプロファイル内のマトリクスを用いて前記測色値の変換を行うことを特徴とする請求項7または請求項8に記載された色処理装置。
【請求項１０】
生成手段、色処理手段を有する色処理装置による色処理方法であって、
ソースプロファイルに対応するデバイスとデスティネーションプロファイルに対応するデバイスが所定の組み合わせに設定され、かつ、所定の色のマッチング方法が設定された場合、前記生成手段が、前記ソースプロファイルに格納された第一の測色値および前記デスティネーションプロファイルに格納された第二の測色値のうち、前記第一の測色値を変換して、前記第一の測色値と測定方法が異なる第三の測色値を生成し、
前記色処理手段が、前記第一および第二の測色値を用いて、あるいは、前記第二および第三の測色値を用いて、画像データを色処理することを特徴とする色処理方法。
【請求項１１】
生成手段、色処理手段を有する色処理装置による色処理方法であって、
ソースプロファイルに対応するデバイスとデスティネーションプロファイルに対応するデバイスが所定の組み合わせに設定され、かつ、所定の色のマッチング方法が設定された場合、前記生成手段が、前記ソースプロファイルに格納された第一の測色値および前記デスティネーションプロファイルに格納された第二の測色値のうち、前記第二の測色値を変換して、前記第二の測色値と測定方法が異なる第三の測色値を生成し、
前記色処理手段が、前記第一および第二の測色値を用いて、あるいは、前記第一および第三の測色値を用いて、画像データを色処理することを特徴とする色処理方法。
【請求項１２】
入力手段、判定手段、変換手段、色変換手段を有し、画像の色を変換する色処理装置の色処理方法であって、
前記入力手段が、入力デバイスのプロファイル、出力デバイスのプロファイル、色のマッチング方法の選択情報を入力し、
前記判定手段が、前記入力デバイスのプロファイルと前記出力デバイスのプロファイルの組み合わせ、および、前記色のマッチング方法に基づき、前記プロファイル内の測色値を補正するか否かを判定し、
前記補正が必要と判定される場合、前記変換手段が、前記プロファイルのうち物体色デバイスのプロファイル内の測色値を、当該測色値と測定方法が異なる測色値に変換し、
前記色変換手段が、前記入力デバイスのプロファイルの測色値および前記出力デバイスのプロファイルの測色値を用いて、あるいは、前記プロファイルのうち前記物体色デバイスではないデバイスのプロファイルの測色値および前記変換によって得た測色値を用いて、前記色の変換を行うことを特徴とする色処理方法。
【請求項１３】
コンピュータ装置を請求項1から請求項9の何れか一項に記載された色処理装置の各手段として機能させることを特徴とするプログラム。
【手続補正２】
【補正対象書類名】明細書
【補正対象項目名】００１４
【補正方法】変更
【補正の内容】
【００１４】
本発明にかかる色処理は、ソースプロファイルに対応するデバイスとデスティネーションプロファイルに対応するデバイスが所定の組み合わせに設定され、かつ、所定の色のマッチング方法が設定された場合、前記ソースプロファイルに格納された第一の測色値または前記デスティネーションプロファイルに格納された第二の測色値を変換して、前記第一または第二の測色値と測定方法が異なる第三の測色値を生成し、前記第一および第二の測色値を用いて、あるいは、前記第一または第二の測色値と前記第三の測色値を用いて、画像データを色処理することを特徴とする。
【手続補正３】
【補正対象書類名】明細書
【補正対象項目名】００１５
【補正方法】変更
【補正の内容】
【００１５】
また、画像の色を変換する色処理であって入力デバイスのプロファイル、出力デバイスのプロファイル、色のマッチング方法の選択情報を入力し、前記入力デバイスのプロファイルと前記出力デバイスのプロファイルの組み合わせ、および、前記色のマッチング方法に基づき、前記プロファイル内の測色値を補正するか否かを判定し、前記補正が必要と判定される場合、前記プロファイルのうち物体色デバイスのプロファイル内の測色値を、当該測色値と測定方法が異なる測色値に変換し、前記入力デバイスのプロファイルの測色値および前記出力デバイスのプロファイルの測色値を用いて、あるいは、前記プロファイルのうち前記物体色デバイスではないデバイスのプロファイルの測色値および前記変換によって得た測色値を用いて、前記色の変換を行うことを特徴とする。